【手続補正書】
【提出日】令和2年10月20日(2020.10.20)
【手続補正１】
【補正対象書類名】明細書
【補正対象項目名】発明の名称
【補正方法】変更
【補正の内容】
【発明の名称】光学式照準装置および照準線アセンブリ
【手続補正２】
【補正対象書類名】明細書
【補正対象項目名】０００１
【補正方法】変更
【補正の内容】
【０００１】
本出願は、２０１７年９月２１日に出願された米国出願Ｎｏ．１５／７１１６１３に基づく優先権を主張する。なお当該米国出願は、２０１７年９月２０日に出願された米国特許仮出願Ｎｏ．６２／５６１，００１、および２０１６年１１月１０日に出願された米国特許仮出願Ｎｏ．６２／４２０，３０７に基づく優先権を主張するものである。本出願はこれらの米国出願の全内容を参照により援用する。本発明は、光学式照準装置および照準線アセンブリに関する。
【手続補正３】
【補正対象書類名】明細書
【補正対象項目名】０００７
【補正方法】変更
【補正の内容】
【０００７】
１つの態様では、光学式照準装置が提供される。光学式照準装置は、プロセッサとメモリとを有するコントローラと、第１の端部と、第２の端部と、第１の端部から第２の端部に向かって延びる中心軸とを有する本体と、本体に内蔵され、中心軸に沿って直線距離を測ったとき第１の端部からの直線距離が第２の端部からの直線距離よりも短い位置に置かれた対物レンズと、本体に内蔵され、第１の端部よりも第２の端部に近い位置に置かれた接眼レンズと、本体に内蔵され、対物レンズと接眼レンズとの間の位置に置かれたエレクターレンズと、対物レンズと接眼レンズとの間に設置された、実質的に透明な照準線アセンブリであって、光学アレイを有する実質的に透明な基板を含む照準線アセンブリと、を有し、光学アレイは、それぞれがエレクトロルミネッセンス材料から形成された実質的に透明な複数の垂直線分と実質的に透明な複数の水平線分とを有し、複数の垂直線分および複数の水平線分のそれぞれは、コントローラを介して複数の垂直線分および複数の水平線分のそれぞれに対して選択的に与えられる電流に応じて、反射ではない光を選択的に発光し、第１の状態では、第１の交差位置で交差するように第１ペアの垂直線分と水平線分とが選択的に照らされ、第２の状態では、第２の交差位置で交差するように第２ペアの垂直線分と水平線分とが照らされる。
【手続補正４】
【補正対象書類名】明細書
【補正対象項目名】０００８
【補正方法】変更
【補正の内容】
【０００８】
また、１つの態様では照準線アセンブリが提供される。照準線アセンブリは、光学アレイを内蔵する実質的に透明な基板を有し、光学アレイは、実質的に透明な複数の垂直線分と実質的に透明な複数の水平線分とを有し、複数の垂直線分および複数の水平線分のそれぞれは、エレクトロルミネッセンス材料から形成され、複数の垂直線分および複数の水平線分のそれぞれは、コントローラを介して複数の垂直線分および複数の水平線分のそれぞれに対して選択的に与えられる電流に応じて、反射ではない光を選択的に発光し、第１の状態では、第１の交差位置で交差するように第１ペアの垂直線分と水平線分とが選択的に照らされ、第２の状態では、第２の交差位置で交差するように第２ペアの垂直線分と水平線分とが照らされる。
また、１つの態様では、光学式照準装置が提供される。光学式照準装置は、複合材料からなるハウジングを有するとともに、第１の端部と第２の端部とを持ち、第１の端部から第２の端部に向かって延びる中心軸を有する主本体と、主本体に内蔵され、中心軸に沿って測った直線距離が、第２の端部からよりも、第１の端部からの方が短い位置に置かれた対物レンズと、主本体に内蔵され、接眼レンズを収容する接眼部であって、中心軸に沿って測った直線距離が、第１の端部からよりも、第２の端部からの方が短い位置に置かれた接眼部と、主本体に内蔵され、対物レンズと接眼レンズとの間の位置に置かれたエレクターレンズと、対物レンズと接眼レンズとの間に配置された実質的に透明な照準線アセンブリであって、光学アレイを有する実質的に透明な基板を含む照準線アセンブリと、複合材料からなる搭載部であって、搭載レールを収容するためのレール収容部と、レール収容部を搭載レールに締め付けるためのクランプ部とを有する搭載部と、を有し、光学アレイは、実質的に透明な複数の垂直線分と実質的に透明な複数の水平線分とを有し、複数の垂直線分および複数の水平線分のそれぞれは、エレクトロルミネッセンス材料から形成され、複数の垂直線分および複数の水平線分のそれぞれに対して選択的に与えられる電流に応じて、反射ではない光を選択的に発光し、第１の状態では、第１の交差位置で交差するように第１ペアの垂直線分と水平線分とが選択的に照らされ、第２の状態では、第２の交差位置で交差するように第２ペアの垂直線分と水平線分とが照らされる。
【手続補正５】
【補正対象書類名】特許請求の範囲
【補正対象項目名】全文
【補正方法】変更
【補正の内容】
【特許請求の範囲】
【請求項１】
プロセッサとメモリとを有するコントローラと、
第１の端部と、第２の端部と、前記第１の端部から前記第２の端部に向かって延びる中心軸とを有する本体と、
前記本体に内蔵され、前記中心軸に沿って直線距離を測ったとき前記第１の端部からの直線距離が前記第２の端部からの直線距離よりも短い位置に置かれた対物レンズと、
前記本体に内蔵され、前記第１の端部よりも前記第２の端部に近い位置に置かれた接眼レンズと、
前記本体に内蔵され、前記対物レンズと前記接眼レンズとの間の位置に置かれたエレクターレンズと、
前記対物レンズと前記接眼レンズとの間に設置された、実質的に透明な照準線アセンブリであって、光学アレイを有する実質的に透明な基板を含む照準線アセンブリと、を有し
前記光学アレイは、それぞれがエレクトロルミネッセンス材料から形成された実質的に透明な複数の垂直線分と実質的に透明な複数の水平線分とを有し、
前記複数の垂直線分および前記複数の水平線分のそれぞれは、前記コントローラを介して前記複数の垂直線分および前記複数の水平線分のそれぞれに対して選択的に与えられる電流に応じて、反射ではない光を選択的に発光し、
第１の状態では、第１の交差位置で交差するように第１ペアの垂直線分と水平線分とが選択的に照らされ、
第２の状態では、第２の交差位置で交差するように第２ペアの垂直線分と水平線分とが照らされる
ことを特徴とする光学式照準装置。
【請求項２】
前記光学アレイは、複数の発光部からなる情報ディスプレイ部を有し、前記情報ディスプレイ部は、前記コントローラからの出力に基づいて、ヤード数、ラウンド回数、エレベーション測定値のうち少なくとも一つを表示することを特徴とする請求項１記載の光学式照準装置。
【請求項３】
前記照準線アセンブリの前記基板は２層の誘電体層を有し、前記複数の垂直線分および前記複数の水平線分のそれぞれは、前記２層の誘電体層の間に挟まれるように配置されることを特徴とする請求項１記載の光学式照準装置。
【請求項４】
前記コントローラは、照らされた垂直線分および水平線分のペアを特定し、前記コントローラにより受信される入力に基づいて交差位置を作成することを特徴とする請求項１記載の光学式照準装置。
【請求項５】
前記コントローラにより受信される前記入力は、少なくとも部分的に、ユーザ入力に基づいて受信された入力信号を含むことを特徴とする請求項４記載の光学式照準装置。
【請求項６】
前記第２の状態は、照準調整のための入力に対応することを特徴とする請求項１記載の光学式照準装置。
【請求項７】
前記照準調整は、ウィンデージ、エレベーション、対象距離から選択された１つを調整することを特徴とする請求項６記載の光学式照準装置。
【請求項８】
前記コントローラは、前記第１ペアの垂直線分と水平線分が交差位置で交差するように前記複数の垂直線分の１つと前記複数の水平線分の１つとを選択的に発光させることにより、前記光学式照準装置の機械的調整の必要性を抑えることを特徴とする請求項１記載の光学式照準装置。
【請求項９】
光学アレイを内蔵する実質的に透明な基板を有し、
前記光学アレイは、実質的に透明な複数の垂直線分と実質的に透明な複数の水平線分とを有し、
前記複数の垂直線分および前記複数の水平線分のそれぞれは、エレクトロルミネッセンス材料から形成され、
前記複数の垂直線分および前記複数の水平線分のそれぞれは、コントローラを介して前記複数の垂直線分および前記複数の水平線分のそれぞれに対して選択的に与えられる電流に応じて、反射ではない光を選択的に発光し、第１の状態では、第１の交差位置で交差するように第１ペアの垂直線分と水平線分とが選択的に照らされ、第２の状態では、第２の交差位置で交差するように第２ペアの垂直線分と水平線分とが照らされることを特徴とする照準線アセンブリ。
【請求項１０】
前記光学アレイは、エレクトロルミネッセンス材料からなる一連の実質的に透明な水平透明線分と垂直透明線分とを有し、前記コントローラが各線分に選択的に与える電流に応じて、前記水平透明線分および前記垂直透明線分のそれぞれは選択的に発光可能であることを特徴とする請求項９記載の照準線アセンブリ。
【請求項１１】
前記基板は２層の誘電体層を有し、各発光部は少なくとも２層の誘電体層の間に配置され、前記基板は少なくとも１つの実質的に透明な電極をさらに有することを特徴とする請求項９記載の照準線アセンブリ。
【請求項１２】
複合材料からなるハウジングを有するとともに、第１の端部と第２の端部とを持ち、前記第１の端部から前記第２の端部に向かって延びる中心軸を有する主本体と、
前記主本体に内蔵され、前記中心軸に沿って測った直線距離が、前記第２の端部からよりも、前記第１の端部からの方が短い位置に置かれた対物レンズと、
前記主本体に内蔵され、接眼レンズを収容する接眼部であって、前記中心軸に沿って測った直線距離が、前記第１の端部からよりも、前記第２の端部からの方が短い位置に置かれた接眼部と、
前記主本体に内蔵され、前記対物レンズと前記接眼レンズとの間の位置に置かれたエレクターレンズと、
前記対物レンズと前記接眼レンズとの間に配置された実質的に透明な照準線アセンブリであって、光学アレイを有する実質的に透明な基板を含む前記照準線アセンブリと、
複合材料からなる搭載部であって、
搭載レールを収容するためのレール収容部と、
前記レール収容部を前記搭載レールに締め付けるためのクランプ部と
を有する前記搭載部と、
を有し、
前記光学アレイは、実質的に透明な複数の垂直線分と実質的に透明な複数の水平線分とを有し、前記複数の垂直線分および前記複数の水平線分のそれぞれは、エレクトロルミネッセンス材料から形成され、前記複数の垂直線分および前記複数の水平線分のそれぞれに対して選択的に与えられる電流に応じて、反射ではない光を選択的に発光し、第１の状態では、第１の交差位置で交差するように第１ペアの垂直線分と水平線分とが選択的に照らされ、第２の状態では、第２の交差位置で交差するように第２ペアの垂直線分と水平線分とが照らされることを特徴とする光学式照準装置。
【請求項１３】
前記搭載レールは火器に取り付けられていることを特徴とする請求項１２記載の光学式照準装置。
【請求項１４】
前記搭載部は前記主本体と一体的に、単一のボディとして形成されていることを特徴とする請求項１２記載の光学式照準装置。
【請求項１５】
前記搭載部は前記主本体に恒久的に接合されていることを特徴とする請求項１２記載の光学式照準装置。
【請求項１６】
前記搭載部は、２３°Ｃから１５０°Ｃにおける線熱膨張係数が５５×１０−６ｍ／ｍＫ未満の材料で形成されていることを特徴とする請求項１２記載の光学式照準装置。
【請求項１７】
前記搭載部は、実質的に非導電性の材料で形成されていることを特徴とする請求項１２記載の光学式照準装置。
【請求項１８】
前記レール収容部は、
前記中心軸と平行な長軸を有する面をなす、少なくとも１つの平坦部と、
前記平坦部の短軸の各端部に位置し、前記搭載レールのそれぞれの傾斜部を収容可能な第１の傾斜部と、
前記第１の傾斜部のうちの少なくとも１つと交差する、少なくとも１つの第２の傾斜部とをさらに有し、
前記クランプ部は、第１部品と第２部品とを有し、
前記レール収容部が前記搭載レールに整列したとき、前記クランプ部は、前記中心軸に直交する方向に前記第１部品を介して前記搭載レールに対して第１の力を加えることが可能であるとともに、前記中心軸に平行な前記第２部品を介して第２の力を加えることが可能であり、前記第１の傾斜部によって与えられる第１の力と第２の力との組合せにより、前記光学式照準装置の中心が前記搭載レールの中心に来るようにする
ことを特徴とする請求項１２記載の光学式照準装置。
【請求項１９】
前記主本体は、炭素繊維、炭素繊維強化プラスチック、ポリパラフェニレンテレフタルアミド、ガラス強化プラスチック、ガラス繊維強化プラスチックのうち、少なくとも１つを有することを特徴とする請求項１２記載の光学式照準装置。
【請求項２０】
前記搭載部は、炭素繊維、炭素繊維強化プラスチック、ポリパラフェニレンテレフタルアミド、ガラス強化プラスチック、ガラス繊維強化プラスチック、ポリエーテルエーテルケトン、強化ポリエーテルエーテルケトン、ポリエーテルイミド、強化ポリエーテルイミド、強化ナイロンのうち、少なくとも１つを有することを特徴とする請求項１２記載の光学式照準装置。
【請求項２１】
前記クランプ部は、
ねじ穴と、
前記ねじ穴にねじ込み可能な、ねじ切りされたボルトと、
前記ねじ切りされたボルトが前記ねじ穴から分離することを防止する保持部と、
を有することを特徴とする請求項１２記載の光学式照準装置。
【請求項２２】
前記搭載部は後退ストップをさらに有し、
前記後退ストップは前記搭載部を貫通する貫通穴を有し、前記貫通穴は後退ピンを収容可能であるとともに前記中心軸に直交する軸を有する
ことを特徴とする請求項１２記載の光学式照準装置。
【請求項２３】
前記搭載部は複数の後退溝からなり、
前記複数の後退溝は、前記搭載レールから延びており断面が四角形である一連のノッチからなり、前記一連のノッチは後退ストップと相互作用可能である
ことを特徴とする請求項１２記載の光学式照準装置。